(57)【要約】  この発明は、眼鏡フレーム用の双安定ヒンジ要素であって、断面がＵ字型の開口部を通して近位横断面へ開くハウジングを規定する２つの長手方向側壁によって横方向に延ばされる底を有するテンプルケージと、断面がＵ字型の開口部を通して近位横断面へ開くハウジングを規定する２つの長手方向側壁によって横方向に延ばされる底を有する前部ケージ（１００）と、長手方向軸に沿って弾性変形可能である中実体を含み、中実体は、Ｕ字型の開口部の横断断面に対応する断面を有する中央部を有し、中央部は各端で、テンプルケージおよび前部ケージのハウジングの横断断面と相補形である断面の膨出部によって延ばされる、双安定ヒンジ要素に関する。
2021519951.tif 000002
【特許請求の範囲】
【請求項１】
眼鏡フレーム用の双安定ヒンジ要素であって、
・  断面がＵ字型の開口部を通して近位横断面へ開くハウジングを規定する２つの長手方向側壁によって横方向に延ばされる底を有するテンプルケージ（２００）を含み、前記側壁の各々は、前記近位横断面から前記ハウジングの中間部まで延在する上方リップを有し、前記リップは、前記Ｕ字型の開口部の幅に対応する幅を有する間隙の範囲を定めており、前記双安定ヒンジ要素はさらに、
・  断面がＵ字型の開口部を通して近位横断面へ開くハウジングを規定する２つの長手方向側壁によって横方向に延ばされる底を有する前部ケージ（１００）を含み、前記側壁の各々は、前記近位横断面から前記ハウジングの中間部まで延在する上方リップを有し、前記リップは、前記Ｕ字型の開口部の幅に対応する幅を有する間隙の範囲を定めており、
・  前記近位面は、前記間隙の平面に直交する相補案内セグメントを有し、前記前部ケージの前記案内セグメントは、前記間隙の一方側から他方側まで延在する案内セグメントによって、前記テンプルケージの前記近位面の高さに対応する長さにわたって前記リップの表面上で延ばされ、前記双安定ヒンジ要素はさらに、
・  長手方向軸に沿って弾性変形可能である中実体を含み、前記中実体は、前記Ｕ字型の開口部の横断面に対応する断面を有する中央部を有し、前記中央部は各端で、前記テンプルケージおよび前記前部ケージの前記ハウジングの横断面と相補形である断面の膨出部によって延ばされる、双安定ヒンジ要素。
【請求項２】
開位置と折り畳まれた位置との間の変位が８０°±５°であることを特徴とする、請求項１に記載の双安定ヒンジ要素。
【請求項３】
前記一体構造体の前記中央部の、前記間隙の平面に直交する方向に沿った高さは、前記膨出部の高さの８０％〜１００％で構成されることを特徴とする、請求項１に記載の双安定ヒンジ要素。
【請求項４】
横断方向に沿った前記膨出部の幅は、前記一体構造体の前記中央部の幅の１．５〜２．５倍で構成されることを特徴とする、請求項１に記載の双安定ヒンジ要素。
【請求項５】
前記膨出部の少なくとも１つは、前記側壁に直交する軸を中心とする旋回経路を有する側方突起を形成することを特徴とする、請求項１に記載の双安定ヒンジ要素。
【請求項６】
前記膨出部の少なくとも１つは、円筒状の側方突起を規定することを特徴とする、請求項１に記載の双安定ヒンジ要素。
【請求項７】
前記膨出部の少なくとも１つは、半球形状を有することを特徴とする、請求項１に記載の双安定ヒンジ要素。
【請求項８】
前記相補案内セグメントは、部分的に湾曲していることを特徴とする、請求項１に記載の双安定ヒンジ要素。
【請求項９】
前部と２つのテンプルとから作られた眼鏡フレームであって、前記テンプルは、先行する請求項の少なくとも１項に従ったヒンジ要素を用いて前記前部へ折り畳まれる、眼鏡フレーム。
【請求項１０】
前記ヒンジ要素の変形可能な中実体は、１つ以上の電気導体を通すための長手方向通路を有し、一方端でのテンプルケージと他方端での前部ケージとの間の電気的接続を保証することを特徴とする、先行する請求項に記載の眼鏡フレーム。
【発明の詳細な説明】
【技術分野】
【０００１】
発明の分野
本発明は、光学レンズまたはサングラスレンズを有する前部と、弾性継手の使用を介して前部に各々接続される２つのテンプルとによって構成されるタイプの眼鏡に関する。この種の継手はテンプルの双安定効果を達成し、その結果、それを開位置または閉位置に保ち、従来の継手の場合のように一方から他方へ自由に往復することはない。
【０００２】
このシステムはまた、テンプルが開き過ぎることを補償し、それにより、その破損または塑性変形を防止することを可能にする。
【背景技術】
【０００３】
眼鏡前部をそれぞれの眼鏡テンプルに各々接合する弾性ヒンジが設けられた１対の眼鏡に関する欧州特許ＥＰ１３７６２０１に記載された、背景技術における解決策がある。弾性ヒンジは、約９０°離れた２つの位置間で屈曲可能である弾性エラストマーのブロックを含む。弾性ヒンジは、第１の眼鏡テンプルの、または眼鏡面の対応する溝に係合する保持隆起を介して、端の各々に接続される。
【０００４】
光学レンズまたはサングラスレンズを有する前部によって構成され、フレームに各々接続される２つのテンプルを含む眼鏡に関するフランス特許ＦＲ２９５９５７３に記載された解決策もある。継手は、中実で一体型の弾性変形可能な要素によって構成され、それは、接続手段を介して、ピンを通して、テンプルの一端と対向端との間に介在される。
【０００５】
国際特許出願ＷＯ９２１５９１６は、眼鏡フレームおよび他のフレームのテンプル用のヒンジの別の例を記載する。ヒンジは、円錐形、凸形、および凹形のヒンジ要素を含み、それらは嵌まり合い、細長い弾性要素によって接触したまま保たれる。細長い弾性要素は、ヒンジ要素が歪みを受けるとヒンジ要素の相対運動を可能にし、歪みが終わるとヒンジ要素をそれらの通常接触位置へ戻す。
【０００６】
米国特許出願ＵＳ２０１５０８５２４４は、「ステムボール」タイプ（商品名）の膨出金属体を採用する固定システムを有する眼鏡フレームを記載する。
【０００７】
米国特許出願ＵＳ２００５／２７０４７８は、ヒンジ構造用の第１の構造要素が第１の成形段階で形成され、ヒンジ構造の第２の構造要素が第２の成形段階で第１の構造要素の一部の真上に形成される、眼鏡用のヒンジアセンブリに関する。その発明は、この集合ヒンジを形成するために必要な組立ステップの数を減らすために成形組立手法を使用しており、それは、改良された嵌合および有用性を提供するヒンジアセンブリを作り出すことを可能にする。より具体的には、オーバーモールドされた構成要素が、連動タイプの継手と、ボールとを形成し、それは、一方向における横回転度を増加させ、第２の方向における制限された自由を可能にする。
【０００８】
米国特許出願ＵＳ２０１２１２７４２３は、弾性コネクタを有する継手を有する眼鏡の別の公知の例に関する。
【０００９】
米国特許ＵＳ５５９６７８９は、よりよい工業化を可能にするように、一対の眼鏡を構成する部品上への迅速で単純な取付けを可能にするヒンジを記載する。背景技術のこのヒンジは、全く双安定ではない。
【００１０】
図１１は、一方端でテンプルに、他方端で前部に挿入された相補部品に収容された２つのボール継手が設けられた剛体を含む変形例を示す。
【００１１】
これらの部品は、テンプルおよび前部に設けられた受け空洞でのスナップ係合を可能にするために、横方向に変形可能であるが、剛体の軸に沿って変形可能ではない。
【発明の概要】
【発明が解決しようとする課題】
【００１２】
背景技術の欠点
背景技術における解決策は、ねじり力を受けるプラスチック要素の弾性変形に基づいている。この変形方法はプラスチック要素の急速な疲労につながり、それは第１に、その弾性特性を非可逆性伸長を通して失い、継手における遊びをもたらす。第２に、この材料疲労は破損につながる。
【００１３】
加えて、これらの眼鏡フレームの組立は簡単ではない。なぜなら、組立時に弾性要素を張力下に置くことが必要であるためであり、それは繊細な取扱いを示唆する。
【００１４】
この発明は、弾性変形可能体と、この弾性体の、Ｄ１の教示に対応していない端を収容するためのケージの構造とを用いる、双安定ヒンジ解決策に関する。
【課題を解決するための手段】
【００１５】
この発明によって導入される解決策
これらの欠点を克服するために、その最も一般的な実施形態におけるこの発明は、眼鏡フレーム用の双安定ヒンジ要素であって、
・  断面がＵ字型の開口部を通して近位横断面へ開くハウジングを規定する２つの長手方向側壁によって横方向に延ばされる底を有するテンプルケージを含み、前記側壁の各々は、前記近位横断面から前記ハウジングの中間部まで延在する上方リップを有し、前記リップは、前記Ｕ字型の開口部の幅に対応する幅を有する間隙の範囲を定めており、双安定ヒンジ要素はさらに、
・  断面がＵ字型の開口部を通して近位横断面へ開くハウジングを規定する２つの長手方向側壁によって横方向に延ばされる底を有する前部ケージを含み、前記側壁の各々は、前記近位横断面から前記ハウジングの中間部まで延在する上方リップを有し、前記リップは、前記Ｕ字型の開口部の幅に対応する幅を有する間隙の範囲を定めており、
・  前記近位面は、前記間隙の平面に直交する相補案内セグメントを有し、前部ケージの前記案内セグメントは、前記間隙の一方側から他方側まで延在する案内セグメントによって、テンプルケージの近位面の高さに対応する長さにわたって前記リップの表面上で延ばされ、双安定ヒンジ要素はさらに、
・  長手方向軸に沿って弾性変形可能である中実体を含み、中実体は、前記Ｕ字型の開口部の横断面に対応する断面を有する中央部を有し、中央部は各端で、テンプルケージおよび前部ケージの前記ハウジングの横断面と相補形である断面の膨出部によって延ばされる、双安定ヒンジ要素に関する。
【００１６】
有利な変形例によれば、この発明はまた、以下の追加の特徴のうちの１つ以上を有するヒンジ要素に関する：
−  開位置と折り畳まれた位置との間の変位が８０°±５°である；
−  前記一体構造体の中央部の、間隙の平面に直交する方向に沿った高さは、前記膨出部の高さの８０％〜１００％で構成される；
−  横断方向に沿った前記膨出部の幅は、前記一体構造体の前記中央部の幅の１．５〜２．５倍で構成される；
−  前記膨出部の少なくとも１つは、前記側壁に直交する軸を中心とする旋回経路を有する側方突起を形成する；
−  前記膨出部の少なくとも１つは、円筒状の側方突起を規定する；
−  前記膨出部の少なくとも１つは、半球形状を有する；
−  前記相補案内セグメントは、部分的に湾曲している。
【００１７】
この発明はまた、前部と２つのテンプルとから作られた眼鏡フレームであって、テンプルは、この発明に従ったヒンジ要素を用いて前部へ折り畳まれる、眼鏡フレームに関する。
【図面の簡単な説明】
【００１８】
【図１】開位置にある、この発明に従ったヒンジの一部破断斜視図である。
【図２】そのようなヒンジ用の弾性体の実施形態の変形例の斜視図である。
【図３】前部ケージの斜視図である。
【図４】テンプルケージの斜視図である。
【図５】ケージへの弾性体の挿入ステップから全開までのヒンジの構成を示す図である。
【図６】ケージへの弾性体の挿入ステップから全開までのヒンジの構成を示す図である。
【図７】ケージへの弾性体の挿入ステップから全開までのヒンジの構成を示す図である。
【図８】ケージへの弾性体の挿入ステップから全開までのヒンジの構成を示す図である。
【図９】ケージへの弾性体の挿入ステップから全開までのヒンジの構成を示す図である。
【図１０】ケージへの弾性体の挿入ステップから全開までのヒンジの構成を示す図である。
【発明を実施するための形態】
【００１９】
発明の非限定的な例の詳細な説明
本発明は、以下に続くこの発明の非限定的な例の詳細な説明を、添付図面を参照して読むことからよりよく理解されるであろう。
【００２０】
ヒンジの概説
図１は、開位置にあるヒンジの一部破断全体図である。それは、
・  前部ケージ（１００）、
・  テンプルケージ（２００）、
・  弾性体（３００）、という３つの構成要素から作られる。
【００２１】
２つのケージ（１００、２００）は、たとえば銅または洋銀の合金の金属部品によって構成される。
【００２２】
開位置では、前部ケージ（１００）の底（１１１）を通る平面の長手方向軸（１１０）が、テンプルケージ（２００）の底を通る平面の長手方向軸（２１０）と、１８０°よりも若干小さい、典型的には１７０°の角度を形成する。そのため、フレームのテンプルは、優れた保持を保証するために、若干「内向きに」進んで側頭部に軽い圧力をかける傾向がある。
【００２３】
弾性体（３００）は、エラストマー、たとえばショア硬度が９５Ａであるポリウレタンで作られた中実一体構造片であり、膨出部（３３０、３５０）を通して各端まで延在する中央部（３１０）を有する。
【００２４】
弾性体の実施形態のこの第１の変形例によれば、端（３３０、３５０）は半球形状を有し、中央部（３１０）は、丸みを帯びた平行六面体形状を有する。
【００２５】
この弾性体（３００）は、２つのケージ（１００、２００）の内部に規定された空洞に収容され、膨出部（３３０、３５０）は、リップ（１４０、１５０；２４０、２５０）によってブロックされる。リップは、底（１１１、２１１）を通る平面と平行な平面上をそれぞれ延在しており、それらの内縁間に、弾性体（３００）の中央部（３１０）の横断面に対応する幅の間隙を規定する。
【００２６】
間隙の平面に直交する垂直軸に従った弾性体（３００）の高さは、中央部の屈曲を減少させるように、好ましくは最大高さの７０％〜１００％で構成される。２つの膨出部（３３０、３５０）の重心間の距離は、同様に屈曲を制限する短く厚い中央部を有するように、弾性体（３００）の全長の６５％〜７５％で構成される。
【００２７】
ケージ（１００、２００）の側面（１２０、２２０）は、摺動面を形成する相補近位縁（１２１、２２１）を有する。前部ケージ（１００）の縁（１２１）の高さhfrontは、テンプルケージ（２００）の縁（２２１）の高さhtempleよりも小さい。典型的には、hfrontは、htempleの０．７〜０．８５倍で構成される。前部ケージ（１００）の摺動面（１２１）は摺動面（１２２）によって延ばされ、摺動面（１２２）は、摺動面（１２１）に対して１００°で延在し、縁（１２１）の高さhfrontに実質的に対応する長さを有する。ヒンジが閉じられる場合、縁（２２１）は、縁（１２１）の長さに沿って枢動点まで摺動し始め、そこでそれは、それが摺動面（１２２）の表面に略直交して延在するストッパー（１２３）に当接するまで、摺動面（１２２）の長さに沿って摺動し続ける。
【００２８】
弾性体の斜視図
図２は、そのようなヒンジ用の弾性体の実施形態の変形例の斜視図である。実施形態のこの変形例によれば、端（３３０、３５０）は円筒形状を有し、中央部（３１０）は略矩形形状を有する。
【００２９】
中央部（３１０）の幅は、端（３３０、３５０）の幅の０．５〜０．６倍で構成される。端（３３０、３５０）はまた、中央部の両側に、円筒状肩部（３３２；３５１、３５２）を有する。それらは円筒状肩部の幅の約０．２５倍の幅を有し、ケージ（１００、２００）の内部に形成されたハウジングに枢動領域を形成する。
【００３０】
中央部（３１０）は、これらの長手方向ストッパーで、ケージ（１００、２００）が間隙の内部を通ることを容易にする斜面（３１１、３１２）を有する。膨出部（３３０、３５０）の構成が何であれ、中央部（３１０）は当然、長手方向斜面を有用に有する。
【００３１】
この弾性体は、通常使用時、すなわち、テンプルが折り畳まれるかまたは閉じられる場合、もしくは眼鏡が着用中である場合に、開いたり閉じたりする際に、ねじり応力ではなく牽引応力を受ける。
【００３２】
しかしながら、異常使用の場合、たとえば、テンプルがねじられる場合、弾性体は、中央体が時折屈曲することを介して変形を吸収することができる。
【００３３】
前部ケージおよびテンプルケージの詳しい図
図３および図４はそれぞれ、前部ケージおよびテンプルケージの詳細な斜視図である。
【００３４】
フレームの前部は、たとえばピン（１１３）を用いて、前面（１１２）上に、長手方向軸に直交して固定される。
【００３５】
ケージ（１００）は、前面（１１２）とは反対側の面上にランナー（１２１、１２５）を有する。ランナー（１２１、１２５）は、ランナーセグメント（１２２、１２６）によって内部ストッパーまで延ばされ、ランナーセグメント（１２２、１２６）は直交して延在し、当接部（１２３、１２７）によって終了される。レール（１２２、１２８）がランナーの内側に接する。
【００３６】
外面（１１１）は、スポイラー（１２９）によって延ばされる。
ケージ（１００）は、弾性体（３００）の膨出部（３３０）の断面よりも大きい断面を有する空洞（１５１）を有し、空洞（１５１）は後部空洞（１５２）に通じており、後部空洞（１５２）は、弾性体（３００）の中央部（３１０）の断面に対応する断面を有する開口部を通して、後面へ開いている。
【００３７】
後部空洞（１５２）は、弾性体（３００）の膨出部（３３０）の断面に対応する断面を有し、２つのリップ（１５０、１６０）によって範囲を定められる。２つのリップ（１５０、１６０）は、弾性体（３００）の中央部（３１０）の幅に対応する幅を有する中間間隙の範囲を定める。
【００３８】
テンプルケージ（２００）は、たとえばピン（２１３）によって、眼鏡のテンプルの延長に取付けられる。それは近位面に２つのランナー（２１１、２２５）を有し、２つのランナー（２１１、２２５）には、前部ケージ（１００）のランナーと相補形のレール（２１２、２２６）が接する。
【００３９】
本特許における「近位」という用語は、あるケージの、相補ケージに最も近い側を意味するために使用される。
【００４０】
それは、弾性体（３００）の膨出部（３５０）の断面よりも大きい断面を有する空洞（２５１）を有し、空洞（２５１）は空洞（２５２）によって長くされ、空洞（２５２）は、弾性体（３００）の膨出部（３５０）の断面と相補形の断面を有し、内面で、中間間隙の範囲を定める２つのリップ（２５０、２６０）によって部分的に閉じられる。
【００４１】
第１の例に従った運動学
図５〜１０は、ケージへの弾性体の挿入ステップから全開までのヒンジの構成を示す。
【００４２】
電気の導通の提供
この発明に従ったヒンジ要素は、眼鏡の前部とテンプルの各々との間の電気の伝送を保証するように適合され得る。
【００４３】
この目的のために、変形可能な中実体は、１つ以上の電気導体を通すための長手方向通路を有し、このため、一方端でのテンプルケージと他方端での前部ケージとの間の電気的接続を保証する。接続は、テンプルケージおよび／または前部ケージと接触する膨出部の一部の金属化によって保証され得る。
【００４４】
それはまた、テンプルケージおよび／または前部ケージの長手方向側壁に形成された相補開口部に互いに係合する金属隆起によって提供されてもよく、前部金属隆起は導線によってテンプル金属隆起に接続される。
【００４５】
中実体は、導電性繊維が埋込まれた材料で同様に作られ得る。
それはまた、長手方向に変形可能な導線上へのオーバーモールドによって提供され得る。
【００４６】
任意の請求項で言及された技術的特徴に参照符号が続く場合、それらの参照符号は、請求項の理解度を高める目的のためにのみ含まれたものであり、したがって、そのような参照符号は、そのような参照符号によって例として識別される各要素の解釈に対し、限定的効果を何ら与えない。
【図１】
2021519951.tif 000003
【図２】
2021519951.tif 000004
【図３】
2021519951.tif 000005
【図４】
2021519951.tif 000006
【図５】
2021519951.tif 000007
【図６】
2021519951.tif 000008
【図７】
2021519951.tif 000009
【図８】
2021519951.tif 000010
【図９】
2021519951.tif 000011
【図１０】
2021519951.tif 000012
【国際調査報告】
2021519951.tif 000013
2021519951.tif 000014
2021519951.tif 000015
2021519951.tif 000016
2021519951.tif 000017